(57)【要約】【課題】  コストアップ及び回路規模の増大を抑止可能なＷＤＭシステムの終端ノードを提供する。【解決手段】  受信光アンプ８においては、主信号光の多重波長数に応じて適切なレベル制御が必要になるが、この波長数として、対向ノードから伝送されてきた監視光に重畳されている波長数情報を、監視光受信回路７で抽出して用いる。これにより、受信波長数検出回路が不要となる。また、主信号光と監視光とを帯域分離することにより、監視光の合分波部５，６に厳密な分離特性が要求されないので、ＡＷＧのような高価な部品を用いる必要がない。【選択図】      図１
2007324782.tif 000002
【特許請求の範囲】
【請求項１】
ＷＤＭ光通信システムにおける終端ノードでの受信信号光の波長数検出システムであって、対向局から受信した主信号光とは異なるバンドの監視光に重畳された波長数を抽出する手段を含むことを特徴とする波長数検出システム。
。
【請求項２】
前記主信号光はＬバンドであり、前記監視光はＣバンドであることを特徴とする請求項１記載の波長数検出システム。
【請求項３】
ＷＤＭ光通信システムにおける終端ノードであって、対向局から受信した主信号光をレベル制御する受信光アンプと、前記対向局から受信し、前記主信号光とは異なるバンドの監視光に重畳された波長数を抽出する手段とを含み、この抽出された波長数情報を、前記受信光アンプにおける増幅制御のために必要な波長数情報として使用することを特徴とする終端ノード。
【請求項４】
前記主信号光はＬバンドであり、前記監視光はＣバンドであることを特徴とする請求項３記載の終端ノード。
【請求項５】
請求項３または４記載の終端ノードを含むことを特徴とするＷＤＭ光通信システム。
【請求項６】
ＷＤＭ光通信システムにおける終端ノードでの受信信号光の波長数検出方法であって、対向局から受信した主信号光とは異なるバンドの監視光に重畳された波長数を抽出するステップを含むことを特徴とする波長数検出方法。
【請求項７】
前記主信号光はＬバンドであり、前記監視光はＣバンドであることを特徴とする請求項６記載の波長数検出方法。
【発明の詳細な説明】
【技術分野】
【０００１】
本発明は波長数検出システム及びその方法並びにそれを用いた終端ノード及びＷＤＭ光通信システムに関し、特にＷＤＭ伝送において光アンプのレベル制御に必要となる波長数情報の検出システムに関するものである。
【背景技術】
【０００２】
ＷＤＭ（Wave length Division Multiplexing ）光通信システムにおいては、多重されている波長数に応じて光アンプの出力レベルを適切に制御する必要があるので、多重波長数の検出は重要な機能となっている。図２に、一般的な波長数の検出及びその転送システムの例を示す。波長数の検出回路はＷＤＭ信号を終端する終端ノード１００，３００に実装されており、ＷＤＭ信号の増幅のみを行う中継ノード２００には配置されていない。
【０００３】
上流に位置する終端ノードの送信側では、検出した送信波長数情報を監視光に重畳して、信号光と共に次ノードへ転送する。中継ノードには、波長数検出回路は実装されていないが、監視光を受信処理することによって、波長数情報を得ることが可能となっている。
【０００４】
図２を用いてより詳細に説明すると、終端ノード１００は送信側と受信側とからなっており、送信側では、ＷＤＭ主信号送信処理部１１の出力である主信号光は、合波部１２において、監視光送信部１４からの監視光と合波される。送信波長数検出回路１３では、ＷＤＭ主信号送信処理部１１における主信号光の多重波長数が検出され、この波長数情報は監視光送信部１４へ入力されて監視光に重畳されることになる。なお、主信号光及び監視光共に、Ｌバンド帯またはＣバンド帯が使用されて、中継ノード２００へ送信されるようになっている。
【０００５】
終端ノード１００の受信側では、中継ノード２００からの主信号光及び監視光は、分波器１５へ入力されて主信号光と監視光とに分波される。主信号光はＷＤＭ主信号受信処理部１６へ入力され、監視光は監視光受信部１７へ入力される。分波器１５により分波された主信号光を用いて、受信波長数検出回路１８において波長数が検出され、ＷＤＭ主信号受信処理部１６において、波長数に応じて、主信号のレベルが適切に制御されるようになっている。
【０００６】
中継ノード２００においては、上流の終端ノード１００からの主信号光及び監視光が分波部２１にて分波され、主信号光はＷＤＭ主信号増幅部２２において、増幅される。このとき、分波部２１にて分波された監視光が監視光送受信部２３へ入力されて波長数情報が抽出され、この波長数に応じて光アンプの出力レベルが適切に制御されることになる。増幅された主信号光と監視光とは、合波部２４で合波されて、下流の終端ノード３００へ送信される。
【０００７】
中継ノード２００においては、下流の終端ノード３００からの主信号光及び監視光が分波部２５にて分波され、主信号光はＷＤＭ主信号増幅部２６において増幅される。このとき、監視光送受信部２７にて監視光から抽出された波長数に応じて光アンプの出力レベルが適切に制御される。増幅された主信号光と監視光とは、合波部２８で合波されて、下流の終端ノード１００へ送信される。なお、下流の終端ノード３００は上流の終端ノード１００と同一構成であるので、その説明は省略する。この様なＷＤＭシステムの例は、特許文献１及び２に開示されている。
【０００８】
【特許文献１】特開２００４−１４７１２２号公報
【特許文献２】特開２０００−２６９９０２号公報
【発明の開示】
【発明が解決しようとする課題】
【０００９】
図２の従来構成では、終端ノード１００，３００において、送信波長数及び受信波長数の両者を検出する必要があるために、送信波長数検出回路１３，３７及び受信波長数検出回路１８，３４が必要となって、コストアップ及び回路規模の増大を招来する要因となっている。また、主信号光と監視光とを共に同一バンド帯を用いて伝送するようになっている（特許文献２参照）ので、両光の合分波のための合分波器としては、ＡＷＧ（Arrayed Waveguide Grating ）のような特性の優れた高価なデバイスを用いることが必要になり、これまたコストアップの要因となる。
【００１０】
本発明の目的は、複雑で高価な波長数検出回路を削除してコストアップ及び回路規模の増大を抑止したＷＤＭシステムを提供することである。
【００１１】
本発明の他の目的は、特性の優れた高価なＡＷＧを用いる必要のないコストアップを抑えたＷＤＭシステムを提供することである。
【課題を解決するための手段】
【００１２】
本発明による波長数検出システムは、ＷＤＭ光通信システムにおける終端ノードでの受信信号光の波長数検出システムであって、対向局から受信した主信号光とは異なるバンドの監視光に重畳された波長数を抽出する手段を含むことを特徴とする。
【００１３】
本発明による波長数検出方法は、ＷＤＭ光通信システムにおける終端ノードでの受信信号光の波長数検出方法であって、対向局から受信した主信号光とは異なるバンドの監視光に重畳された波長数を抽出するステップを含むことを特徴とする。
【００１４】
本発明による終端ノードは、ＷＤＭ光通信システムにおける終端ノードであって、対向局から受信した主信号光をレベル制御する受信光アンプと、前記対向局から受信し、前記主信号光とは異なるバンドの監視光に重畳された波長数を抽出する手段とを含み、この抽出された波長数情報を、前記受信光アンプにおける増幅制御のために必要な波長数情報として使用することを特徴とする。
【００１５】
本発明によるＷＤＭ光通信システムは、上記の終端ノードを含むことを特徴とする。
【発明の効果】
【００１６】
本発明によれば、対向ノードから転送されてくる監視光に含まれている波長数情報を抽出して利用するようにしたので、終端ノードにおいて受信波長数検出回路が不要となって、コストアップ及び回路規模の削減が可能になるという効果がある。また、本発明によれば、主信号光と監視光との帯域を分離することにより、終端ノードにおける分波部の分波特性に優れたものが要求されなくなって、安価な分波器を用いることができるという効果があり、更には、終端ノードにおける監視光送受信部のデバイスの選択性が広がることにもなる。
【発明を実施するための最良の形態】
【００１７】
以下に、図面を用いて本発明の実施例について説明する。図１は本発明の実施例の終端ノードにおける機能ブロック図である。本例においては、主信号光はＬバンド帯、監視光はＣバンド帯を使用したものであるが、逆に主信号光はＣバンド帯、監視光はＬバンド帯を使用しても良いことは勿論である。
【００１８】
終端ノードの送信側は、Ｌバンド帯の各チャンネル（波長）の信号をＷＤＭ多重する波長多重部１、Ｌバンド帯のＷＤＭ多重信号を増幅する送信光アンプ２、Ｌバンド帯のＷＤＭ多重信号内の波長数をカウントする送信波長数検出回路３、波長数情報をＣバンド帯の信号に重畳し送出する監視光送出回路４、Ｌバンド帯の多重信号光とＣバンド帯の監視信号光とを合波する合波部５により構成されている。
【００１９】
受信側は、Ｌバンド帯のＷＤＭ多重信号光とＣバンド帯の監視光とを分波するＣ−Ｌ分波部６、Ｃバンド帯の監視光を受信して波長数情報を抽出する監視光受信回路７、Ｌバンド帯のＷＤＭ受信信号光を増幅する受信光アンプ８、Ｌバンド帯のＷＤＭ多重信号を各チャンネル（波長）の信号に分離する波長分離部９により構成されている。
【００２０】
送信側では、先ず各チャンネルの信号が波長多重部１へ入力されてその多重化出力が送信光アンプ２へ入力される。送信光アンプ２で増幅された出力は２分岐されて送信波長数検出回路３とＣ−Ｌ合波部５へ入力される。送信波長数検出回路３の出力である波長数情報は送信光アンプ２と監視光送出回路４へ入力される。監視光送出回路４の出力はＣ−Ｌ合波部５へ入力され、Ｃ−Ｌ合波部５の出力は次のノードへ向けて伝送路へ出力されることになる。
【００２１】
受信側では、先ず伝送路からの入力がＣ−Ｌ分波部６へ供給され、Ｃ−Ｌ分波部６によるＣバンド光出力は監視光受信回路７へ入力される。また、Ｃ−Ｌ分波部６によるＬバンド光出力は受信光アンプ８へ入力され、監視光受信回路７の波長数情報に応じてレベル制御された出力が、受信光アンプ８から得られる。そして、受信アンプ８の出力は波長分離部９へ入力されて各チャンネルの信号が出力されるようになっている。
【００２２】
送信側の動作についてより詳述する。波長多重部１において、Ｌバンド帯の各チャンネルの信号がＷＤＭ多重される。このＷＤＭ多重信号は次段の送信光アンプ２にて増幅されるが、波長数に応じた適切なレベル制御を行うために、送信波長数検出回路３からの波長数情報が送信光アンプ２へ逐次入力されるようになっている。送信波長数検出回路３はＬバンド帯に多重されているチャンネル数をカウントして、送信光アンプ２へ入力すると共に、監視光送出回路４へも入力する。また、監視光送出回路４では、入力された波長数情報を監視信号に重畳し、Ｃバンド帯の特定波長で送信する。
【００２３】
適切なレベル制御が行われた送信光アンプ２からのＬバンド帯のＷＤＭ多重信号光と波長数情報が重畳されたＣバンド帯の監視光とは、Ｃ−Ｌ合波部５にて合波され、次段ノードへ出力される。監視光に重畳された波長数情報は、波長数検出回路を実装しない中継ノード及び対向側終端ノードの受信側にて抽出されて利用される。
【００２４】
次に、受信側の動作についてより詳述する。対向ノードから伝送されてきた信号はＣ−Ｌ分波部６に入力されてＬバンド帯のＷＤＭ主信号光とＣバンド帯の監視光とに分離される。Ｌバンド帯のＷＤＭ信号光は受信アンプ８によって波長数に応じた適切なレベルに制御される。この波長数情報は、監視光受信回路７において、Ｃバンド帯の監視光に重畳されているものを抽出した情報であり、受信光アンプ８へ逐次入力される。このアンプ８の出力は波長分離部９によってＬバンド帯の各チャンネルの信号として出力される。
【００２５】
このように、終端ノードの受信側においては、対向ノードから転送されてくる波長数情報を利用するようにしたので、受信波長数検出回路が不要になり、回路規模やコストの削減に寄与することになる。また、主信号光と監視光とを帯域分離することにより、終端ノードにおける監視光送受信部のデバイスの選択性が広がり、コスト削減が可能となる。なぜならば、一般に、Ｌバンド帯のデバイスはＣバンド帯のものに比較して汎用的ではないので、監視光のためのデバイスにＣバンド帯を用いることで、コスト削減できることになるからである。
【００２６】
また、監視光を主信号光と別のバンドとすることにより、監視光の合分波部の特性に厳密なものが要求されることがなくなって、ローコストの合分波器を用いることができるものである。
【図面の簡単な説明】
【００２７】
【図１】本発明の実施例のブロック図である。
【図２】従来技術を示すブロック図である。
【符号の説明】
【００２８】
１  波長多重部
２  送信光アンプ
３  送信波長数検出回路
４  監視光送出回路
５  Ｃ−Ｌ合波部
６  Ｃ−Ｌ分波部
７  監視光受信回路
８  受信光アンプ
９  波長分離部
【図１】
2007324782.tif 000003
【図２】
2007324782.tif 000004